(57)【特許請求の範囲】
【請求項１】
脚立や梯子などの高所作業用具の脚部に取り付けられる荷重センサーと、
当該高所作業用具に載って作業する人間の身体に取り付けられ、当該人間の姿勢を検出する姿勢検出センサーと、
前記荷重センサーと姿勢検出センサーから、荷重および姿勢状態を検出する作業状態検出部と、
当該作業状態検出部によって検出された荷重および姿勢状態に基づいて、動作パターンを記憶させる記憶部と、
前記検出された荷重および姿勢状態に基づく危険状態を示す基準値を設定し、当該基準値を超えた場合に報知を行う報知手段と、
を備えたことを特徴とする作業状態確認システム。
【請求項２】
前記荷重センサーが、３軸力覚センサーもしくは６軸力覚センサーで構成されるものである請求項１に記載の作業状態確認システム。
【請求項３】
前記姿勢検出センサーが、人間の両脚部の大腿部に取り付けられる慣性センサーで構成されるものである請求項１に記載の作業状態確認システム。
【発明の詳細な説明】
【技術分野】
【０００１】
本発明は、例えば、脚立に載って作業する人間の作業状態を検出できるようにした作業状態確認システムに関するものである。
【背景技術】
【０００２】
一般に、天井や壁面などの高い所（以下、「高所」と称する）で作業する場合、脚立や梯子などを使って作業することが多い。しかしながら、このように脚立や梯子に載って作業する場合、危険を伴うことが多いため、経験者などが同伴して作業を行うことが好ましい。
【０００３】
しかしながら、近年では、人手不足の原因から単独で作業を行わなければならない場合もあり、事故を未然に防止する観点から、十分に教育指導を行った後、単独で作業を行うようにしている。しかしながら、仮に、十分な教育指導を行ったとしても、事故を完全に防ぐことが難しく、事故が発生した場合には、事後的に、人的ミスによって発生した事故なのか、あるいは、脚立の不具合のような設備的な問題によって発生した事故なのかを検証する必要があった。
【０００４】
そこで、かかる検証を行えるように、カメラで作業状態を撮影して記録しておく方法も提案されているが（特許文献１）、家庭内で作業を行うような場合、プライベートゾーンを撮影することになるため、セキュリティ上好ましくはない。そこで、カメラに代わる方法で、作業状況を検証できるようにしたシステムが要望されていた。
【先行技術文献】
【特許文献】
【０００５】
【特許文献１】特開2018-173957号公報
【発明の概要】
【発明が解決しようとする課題】
【０００６】
そこで、本発明は上記課題に着目してなされたもので、カメラを用いることなく、高所作業を行う際の作業状態を事後的に検証できるようにした作業状態確認システムを提供することを目的とする。
【課題を解決するための手段】
【０００７】
すなわち、本発明は上記課題を解決するために、脚立や梯子などの高所作業用具の脚部に取り付けられる荷重センサーと、当該高所作業用具に載って作業する人間の身体に取り付けられ、当該人間の姿勢を検出する姿勢検出センサーと、前記荷重センサーと姿勢検出センサーから、荷重および姿勢状態を検出する作業状態検出部と、当該作業状態検出部によって検出された荷重および姿勢状態に基づいて、動作パターンを記憶させる記憶部と、前記検出された荷重および姿勢状態に基づく危険状態を示す基準値を設定し、当該基準値を超えた場合に報知を行う報知手段とを備えるようにしたものである。
【０００８】
このように構成すれば、高所作業用具や身体に取り付けられたセンサーによって作業状態を把握することができるため、事故が発生した場合に、人間の作業時における姿勢による事故であるのか、あるいは、高所作業用具の不具合による事故であるのかなどを検証することができるようになる。また、危険な状態で作業を行っている場合、瞬時に警報などを鳴らすことで、事故を未然に防ぐこともできるようになる。
【０００９】
また、このような発明において、前記荷重センサーを、３軸力覚センサーもしくは６軸力覚センサーで構成する。
【００１０】
このように構成すれば、高所作業用具の脚部２３にどのような荷重が掛かっているのかを判断することができ、不安定な作業を行っている状況などを判断することができるようになる。
【００１１】
さらに、前記姿勢検出センサーを、人間の両脚に取り付けられる慣性センサーで構成する。
【００１２】
このように構成すれば、例えば、脚立の片側の踏み桟に載って作業している場合や、あるいは、脚立に跨るように両側面の踏み桟に足を載せて作業している場合などの状態を判断することができるようになる。
【発明の効果】
【００１３】
本発明によれば、脚立や梯子などの高所作業用具の脚部に取り付けられる荷重センサーと、当該高所作業用具に載って作業する人間の身体に取り付けられ、当該人間の姿勢を検出する姿勢検出センサーと、前記荷重センサーと姿勢検出センサーから、荷重および姿勢状態を検出する作業状態検出部と、当該作業状態検出部によって検出された荷重および姿勢状態に基づいて、動作パターンを記憶させる記憶部と、前記検出された荷重および姿勢状態に基づく危険状態を示す基準値を設定し、当該基準値を超えた場合に報知を行う報知手段とを備えるようにしたので、高所作業用具や身体に取り付けられたセンサーによって作業状態を把握することができるようになる。これにより、事故が発生した場合に、人間の作業時における姿勢による事故であるのか、あるいは、高所作業用具の不具合による事故であるのかなどを検証することができるようになるとともに、危険な状態で作業を行っている場合に、瞬時に警報などを鳴らすことで、事故を未然に防ぐこともできるようになる。
【図面の簡単な説明】
【００１４】
【図１】本発明の一実施の形態における脚立の作業を示す図
【図２】同形態における作業状態確認システムの機能ブロック図
【図３】同形態における記憶内容を示す図
【図４】同形態における脚立の脚部近傍を示す図
【図５】同形態における開き止め具を外した状態を示す図
【図６】同形態における頭上で作業をする状態を示す図
【図７】同形態における傾斜面や階段で作業する状態を示す図
【図８】同形態における脚立を乗り出して作業する状態を示す図
【図９】同形態における踏み桟と足を平行にして作業する状態を示す図
【図１０】同形態における天板に載って作業する状態を示す図
【図１１】同形態における重い荷物を持って作業する状態を示す図
【図１２】同形態における梯子にして壁に立て掛けて作業する状態を示す図
【図１３】同形態における踏み桟を背にして作業する状態を示す図
【図１４】同形態における壁面を強く押して作業する状態を示す図
【図１５】同形態におけるつま先立ちをして作業する状態を示す図
【発明を実施するための形態】
【００１５】
以下、本発明の一実施の形態について図面を参照して説明する。
【００１６】
この実施の形態における作業状態確認システム１は、脚立２ａや梯子などを始めとする高所作業用具２の脚部２３の接地面側に取り付けられる荷重センサー３と、この高所作業用具２で作業する人間の身体に取り付けられ、人間の姿勢を検出する姿勢検出センサー５と、これらの荷重センサー３と姿勢検出センサー５から、荷重重心および姿勢状態を検出する作業状態検出部６２とを備えるようにしたものである。そして、このように荷重センサー３や姿勢検出センサー５を設けることによって、高所作業用具２に載って作業する人間に対して、どのような作業を行っているかを事後的に検証できるようにするとともに、危険な作業を行っている際に、警報を鳴らすことで、事故を未然に防げるようにしたものである。以下、本実施の形態について詳細に説明する。なお、この実施の形態では、一般家庭の天井などで配線作業を行う場合などを想定して説明する。
【００１７】
まず、この作業状態確認システム１で使用される高所作業用具２は、高所作業を行う際に人間が載れるようにしたものであって、例えば、脚立２ａなどが用いられる。この脚立２ａは、図１に示すように、天板２１の中央に設けられたヒンジ２２を中心に左右の脚部２３を三角形状に開脚できるようにしたものであって、その脚部２３に設けられた開き止め具２４を固定することで、開脚した状態を固定できるようにしたものである。なお、ここでは脚立２ａを例に挙げて説明するが、壁面に立て掛けて使用する梯子や、踏み台、作業台、足場台なども使用することができる。
【００１８】
このような高所作業用具２の脚部２３の接地面側に取り付けられる荷重センサー３は、高所作業用具２に作用する荷重を検出できるようにしたものであって、荷重中心やモーメント、水平方向に掛かる力などを検出できるようにしたものが用いられる。このような荷重センサー３としては、例えば、直交するＸＹＺ軸方向の荷重を検出する３軸ロードセルや、ＸＹＺ軸回りのモーメントも検出できるようにした６軸ロードセルなどが用いられる。
【００１９】
このような荷重センサー３は、脚立２ａの脚部２３の接地面側に取り付けられる。なお、このような荷重センサー３を脚部２３の接地面側に取り付けると、荷重によって床面に凹みを生じさせてしまい、また、床面との間に滑りを生じてしまうため、図４に示すように、荷重センサー３と床面との間に金属プレート３１を挟み込むとともに、その金属プレート３１の表面に、ゴム３２などの樹脂を取り付けることにより、床面への凹みを防止するとともに、床面との間の滑りを防止できるようにしている。
【００２０】
また、この実施の形態では、脚立２ａの開き止め具２４に固定状態検出センサー４を設けるようにしている。この固定状態検出センサー４は、開き止め具２４の固定状態を検出できるようにしたものであって、左右の脚部２３が正確に開脚された状態でピンにロックされているか否かを検出できるようにしたものである。このような固定状態検出センサー４としては、開き止め具２４の角度を検出できるようにした慣性センサーで構成してもよく、あるいは、開き止め具２４が固定された状態を検出できるようにしたスイッチなどで構成してもよい。なお、この固定状態検出センサー４を慣性センサーで構成した場合は、開き止め具２４の角度だけでなく、脚立２ａの向きなども検出することができるようになる。
【００２１】
このように構成された荷重センサー３や固定状態検出センサー４は、図示しないバッテリーで駆動するようになっており、それぞれ検出された値が、送信部２０（図２の機能ブロック図参照）を介してリアルタイムで情報処理端末６に送信され、その情報処理端末６の記憶部６３に記憶される。
【００２２】
一方、人間側には、図１などに示すように、姿勢検出センサー５が設けられる。この姿勢検出センサー５は、脚立２ａに載ってどのような姿勢で作業しているのかを検出できるようにしたものであって、身体の複数箇所に取り付けられる。この姿勢検出センサー５としては、慣性センサーが用いられ、取り付けられた場所の加速度や角速度などを検出することで、取り付けられた場所の変位などを検出できるようにしている。この慣性センサーの取付箇所としては、好ましくは、左右両脚部（大腿部や下肢部、足部など）、腰から肩部の間の胴部、頭部、左右両腕などに取り付けるのが好ましい。このとき、左右両脚部に慣性センサーを取り付けると、脚立２ａの天板２１や一つの踏み桟２５に跨って作業しているのか、あるいは、天板２１を跨って二つの踏み桟２５に載って作業しているのかを判断することができる。また、腰から肩部の間の胴部に設ければ、上半身の反りや捻じれなどを検出することができ、また、頭部に設ければ、天井を仰ぐような仰け反り状態を検出することができる。このような慣性センサーは、ハーネスや衣服、ヘルメット、手袋、靴などに取り付けられ、バッテリーからの電源によって駆動して、送信部２０を介して情報処理端末６に検出された値が送信される。
【００２３】
このように脚立２ａや人間に取り付けられたセンサーから出力された値は情報処理端末６の受信部６１で受信され、その値を図３に示すような形式で記憶部６３に記憶させるとともに、作業状態検出部６２によって人間の作業状態の動作パターンを検出する。ここで、情報処理端末６としては、例えば、作業者が所持するスマートフォンや、そのスマートフォンを介して送信されるパーソナルコンピューターなどが用いられる。
【００２４】
この作業状態検出部６２で姿勢を検出する場合、脚立２ａに設けられた荷重センサー３による荷重重心の変位や、脚立２ａに設けられた固定状態検出センサー４で検出された開脚状態、身体の姿勢検出センサー５によって検出された上体の反り、頭部の角度などデータを記憶させる他、脚立２ａに載って作業を行う際に危険と判断される次の１２のパターンに該当するか否かを判断して、そのパターンを記憶させる。
【００２５】
＜危険と判断されるパターン＞
（１）開き止め具を掛けずに作業を行う行為
（２）頭の真上で作業を行う行為
（３）斜面や段差、軟弱地で作業を行う行為
（４）脚立から身を乗り出して作業を行う行為
（５）階段で作業を行う行為
（６）設置方向を誤って作業を行う行為
（７）天板上に載って作業を行う行為
（８）両手に物を持って作業を行う行為
（９）壁面角や壁面に凹凸を有する部分に脚立を立て掛けて作業を行う行為
（１０）踏み桟を背にして作業を行う行為
（１１）壁面を強く押して作業を行う行為
（１２）つま先立ちなどの無理な姿勢で作業を行う行為
【００２６】
これらの作業状態を検出する場合、具体的には、脚立２ａに設けられた荷重センサー３や開き止め具２４の固定状態検出センサー４、人間に取り付けられた姿勢検出センサー５などを用いて、次のようにして検出する。
【００２７】
（１）開き止め具２４を掛けずに作業を行う行為（図５参照）
開き止め具２４を掛けずに作業を行うと、急に脚部２３が開いて落下してしまうことになる。そこで、開き止め具２４に設けられた固定状態検出センサー４によって、開き止め具２４が正確に固定されているか否かを判断する。この固定状態検出センサー４が慣性センサーで構成されている場合は、その慣性センサーによる開き止め具２４に対する基準角度を設定しておき、開脚角度が基準角度の範囲内に収まっている場合に、開き止め具２４が正確に固定されていると判断する。ただし、脚立２ａの運搬時や非使用時には開き止め具２４が固定されていない状態となっているため、脚立２ａが設置された状態、すなわち、脚部２３に設けられた荷重センサー３の値が所定の値よりも大きい場合に、「設置された」とみなし、開き止め具２４の固定状態を判断する。そして、その固定状態検出センサー４により、開き止め具２４が固定されたか否かを判断し、その旨の状態を記憶させる。また、脚立２ａが設置された状態（すなわち、荷重センサー３の値が所定の値よりも大きい状態）で、開き止め具２４が固定されていない状態が一定時間続いた場合は、報知部６４（図２参照）を介して警報を鳴らすなどの報知を行う。
【００２８】
（２）頭の真上で作業を行う行為（図６参照）
脚立２ａに載って上を向いて作業する場合、平衡感覚がなくなるため、脚立２ａから落下してしまう可能性がある。そこで、脚立２ａに載っている状態（すなわち、脚立２ａの荷重センサー３で荷重を検出している状態）であって、かつ、人間の頭部に取り付けられた固定状態検出センサー４が所定角度以上上を向いていることを検出した場合に、脚立２ａに載って頭の真上で作業をしていると判断する。そして、このパターンの作業を行っている旨を記憶部６３に記憶させるとともに、この状態の作業が所定時間以上継続した場合、報知部６４を介して報知させる。
【００２９】
（３）斜面や段差などで作業を行う行為（図７参照）
脚立２ａを設置した場所が、斜面や段差を有する場所である場合、脚立２ａが不安定になってしまう。そこで、脚部２３に取り付けられた荷重センサー３の検出値を用いて、このような場所に設置されているか否かを検出する。一般に、脚立２ａを傾斜面や床面の段差部分などに設置している場合であって人間が載っていない状態の場合、傾斜面に沿った下側の脚部２３に大きな荷重が集中することになる。そこで、このような検出値の違いや揺れによって斜面や段差に設置されたことを検出し、このパターンの設置状態である旨を記憶部６３に記憶させる。また、所定の基準値以上の荷重差や所定周期以上の荷重の揺れが検出された場合、報知部６４を介して報知させる。
【００３０】
（４）脚立２ａから身を乗り出して作業を行う行為（図８参照）
脚立２ａから身を乗り出して作業すると、上半身に重心が掛かるために、バランスを崩して脚立２ａから落下する可能性がある。そこで、あらかじめ脚立２ａに人間が載っていない状態での荷重中心（初期重心）を検出しておくとともに、人間が脚立２ａに載った際におけるその荷重重心と初期重心の距離を算出し、所定値以上離れている場合に、身を大きく乗り出して作業していると判断する。そして、その重心距離などを記憶部６３に記憶させるとともに、このパターンで作業をしていることを記憶する。また、荷重重心が一定以上離れた場合は、報知部６４を介して報知を行う。なお、荷重重心と初期重心の距離だけでなく、例えば、人間の身体に取り付けられた姿勢検出センサー５から胴部や頭部の変位を検出し、胴部や頭部の位置が初期重心から大きく離れた場合に、大きく身を乗り出して作業していると判断することもできる。
【００３１】
（５）階段で作業を行う行為（図７参照）
脚立２ａを階段に載せて作業を行うと、段差や傾斜面に設置する場合と同様に、脚立２ａが傾いて危険な状態になる。そこで、脚部２３に取り付けられた荷重センサー３の値から階段に設置されているか否かを検出する。一般に、階段に脚立２ａを設置する場合、四本の脚部２３のうち二本を上段に載せ、残りの二本を下段に載せることになるが、このとき、人間が載っていない状態では、下段側の脚部２３の荷重が大きくなる。また、人間が載った状態では、上段側の脚部２３の荷重が大きくなる。そこで、二本の脚部２３の荷重と残りの二本の脚部２３の荷重との差が、所定の基準値よりも大きい場合は、階段に設置していると判断して、そのパターンであることを記憶させ、報知部６４で報知させる。
【００３２】
（６）設置方向を誤って作業を行う行為（図９参照）
脚立２ａに載って作業する場合、踏み桟２５と足の向きを直交させるようにして使用するのが好ましいが、踏み桟２５と足の向きが平行となるように設置させる場合がある。このような場合、足を踏み桟２５から踏み外してしまう可能性があるため、かかる状態を検知できるようにする。具体的には、脚立２ａの方向を検出する場合、開き止め具２４に設けられた固定状態検出センサー４である慣性センサーによって脚立２ａの水平方向に対する向きを検出する。このとき、初期状態で、人間に取り付けられた慣性センサーと開き止め具２４に設けられた慣性センサーの向きを統一しておく。そして、作業している人間の向きを検出する。具体的には、身体に取り付けられた慣性センサーから人間の向きを検出、例えば、大腿部などに取り付けられた二つの慣性センサーの位置や、腰や頭部に設けた慣性センサーの位置から人間の向きを検出する。そして、踏み桟２５と足が平行となるように設置して作業していることを検知した場合は、その旨を記憶部６３に記憶させ、報知部６４から報知させる。
【００３３】
（７）天板２１上に載って作業を行う行為（図１０参照）
天板２１は足場が狭いため、その天板２１に載って作業をすると、バランスを崩して落下する可能性がある。そこで、天板２１に載って作業しているか否かを検出できるようにしておく。一般に、天板２１に載って作業する場合、両脚部が揃った状態となり、かつ、脚立２ａの四本の脚部２３の荷重センサー３にほぼ均等な荷重（各荷重の絶対値が基準値以下となる状態）が掛かることになる。そこで、まず、大腿部に取り付けられた慣性センサーによって、一定距離の範囲内にそれぞれの大腿部の慣性センサーが存在していると判断した場合に、両脚が揃っていると判断する。このとき、一枚の踏み桟２５に両足を揃えて載せている場合も同様な状態が検出されるが、この場合、踏み桟２５に載っている側の脚部２３の荷重センサー３の値が極端に大きくなる。これに対して、天板２１に載っている場合は、四本の脚部２３の荷重センサー３にほぼ同じ荷重となることになるため、これらの条件が満たされた場合に、天板２１に載って作業していると判断し、このパターンを記憶部６３に記憶させる。また、天板２１での作業を一定時間以上続いた場合は、報知部６４を介して報知を行う。
【００３４】
（８）両手に物を持って作業を行う行為（図１１参照）
両手に重い荷物を持って作業すると、荷物の重みによってバランスを崩してしまう可能性がある。そこで、腕に慣性センサーを取り付けておき、両腕を上げているとともに、脚立２ａに人間が載った状態の荷重よりも重い荷重が検出された場合（各荷重の合計が基準値を超えた場合）に、両手で重い荷物を持っていると判断する。そして、その荷重や重心を記憶させるとともに、このパターンで作業していることを記憶部６３に記憶させる。また、所定値以上の重い荷物を持っていると判断された場合（すなわち、脚立２ａに登った際の荷重との差が所定値以上大きい場合）、重い荷物を持っていると判断して、報知する。
【００３５】
（９）壁面角などに脚立２ａを立て掛けて作業を行う行為（図１２参照）
脚立２ａの開き止め具２４を外して梯子の状態で使用する場合、天板２１のヒンジ２２の部分でガタツキを生じて、不安定になってしまうとともに、床面が滑りやすい場合、梯子が床面で滑ってしまう危険性もある。さらに、梯子の上端部分が壁面の角地などのように一点で支えられている場合に、不安定な状態となる。そこで、かかる作業状態を検出できるようにする。具体的には、開き止め具２４が外されている状態を慣性センサーで検出するとともに、脚立２ａの二本の脚部２３にのみ荷重が掛かっている場合に、梯子として使用している状態であると判断する。また、上端の脚部２３の先端が壁面の一点で支持されている場合、下側の荷重センサー３が不安定な状態で荷重が検出されることになる。そこで、上端側の荷重センサー３の値が極めて小さく、かつ、下端側の荷重センサー３の値が極めて大きく、かつ、揺れを生じている場合は、かかる状態で使用していると判断して、そのパターンを記憶部６３に記憶させ、報知させる。
【００３６】
（１０）踏み桟２５を背にして作業を行う行為（図１３参照）
踏み桟２５を背にして作業を行うと、踏み桟２５に足の踵のみが載った状態となるため、足を踏み外してしまう危険性がある。そこで、かかる使用状態を検出できるようにする。具体的には、二本の脚部２３に大きな荷重が掛かった状態（すなわち、隣接する二つの荷重センサー３の荷重の差が所定値以上大きい状態）であり、かつ、大腿部に設けられた慣性センサーが所定値よりも近い位置に存在していると判断した場合は、一つの踏み桟２５にのみ載っていると判断する。このとき、踏み桟２５を背にしているのか、踏み桟２５を前向きにしているのかを判断することができないため、腰や頭部に設けられた慣性センサーを用いて人間の前傾姿勢方向を判断し、前傾姿勢となっている方向を作業方向と判断する。そして、その作業方向の前方の脚立２ａの荷重センサー３の値が大きければ、踏み桟２５を背にして作業していると判断し、逆に作業方向の後方の脚立２ａの荷重センサー３が大きければ、踏み桟２５を前にして作業していると判断し、この状態を記憶部６３に記憶させるとともに、報知を行う。
【００３７】
（１１）壁面を強く押して作業を行う行為（図１４参照）
壁面を強く押して作業すると、脚立２ａが水平移動したり、もしくは、脚立２ａが傾いて転倒したりする可能性がある。そこで、人間が壁面を強く押しているか否かを検出できるようにする。具体的には、脚部２３に取り付けられた荷重センサー３における床面に沿った荷重を検出し、その合計値が所定値以上の場合は、強く壁面を押していると判断し、このパターンを記憶部６３に記憶させる。もしくは、荷重センサー３によって水平方向の荷重を検出するのではなく、人間の腰や頭部に取り付けられた姿勢検出センサー５から、人間が過度に前傾姿勢をとっており、かつ、脚部２３に取り付けられた荷重センサー３の後方のＺ軸荷重が大きくなった場合は、大きなモーメントが働いていると判断して、この作業パターンであることを記憶部６３に記憶させ、報知部６４で報知させる。
【００３８】
（１２）つま先立ちなどの無理な姿勢で作業を行う行為（図１５参照）
つま先立ちで作業すると、踏み桟２５を踏み外してバランスを崩す可能性がある。そこで、つま先立ちをしているか否かを判断できるようにする。一般に、つま先立ちをすると、一瞬大きな垂直荷重が掛かるとともに、つま先立ちをした後は、身体が震えるため、荷重センサー３の検出値も小刻みに振動する。また、つま先立ちをする場合、離れた高所で作業する場合が多いため、大腿部、腰、頭部がほぼ直線上に並ぶことが多い。そこで、荷重センサー３の検出値が所定周期よりも短い周期で振動しており、かつ、姿勢検出センサー５が、ほぼ直線上に並んでいる場合に、つま先立ちをしていると判断し、この作業パターンであると判断して記憶部６３に記憶させる。また、この状態が所定時間以上続いている場合は、報知部６４を介して報知を行う。
【００３９】
そして、このように検出されたデータを図３のようなフォーマットで記憶部６３に記憶させ、ディスプレイやプリンターなどを介して閲覧可能に出力するとともに、その際に、危険な作業状態を判断しやすくするために、危険パターンに該当する作業状態を差別化して表示出力する。そして、このように出力された作業状態から、今後、その人間に対する指導教育などを行えるようにする。
【００４０】
このように上記実施の形態によれば、脚立２ａや梯子などの高所作業用具２の脚部２３に取り付けられる荷重センサー３と、当該高所作業用具２に載って作業する人間の身体に取り付けられ、当該人間の姿勢を検出する姿勢検出センサー５と、前記荷重センサー３と姿勢検出センサー５から、荷重および姿勢状態を検出する作業状態検出部６２と、当該作業状態検出部６２によって検出された荷重及び姿勢状態に基づいて、動作パターンを記憶させる記憶部６３と、前記検出された荷重および姿勢状態に基づく危険状態を示す基準値を設定し、当該基準値を超えた場合に報知を行う報知部６４とを備えるようにしたので、事故が起きた際に、高所作業用具２の不具合による事故であるのか、あるいは、人間の作業時における姿勢による事故であるのかを事後的に判断することができるとともに、作業状態を客観的に把握することで、今後の教育に役立てることができるようになる。
【００４１】
なお、本発明は上記実施の形態に限定されることなく、種々の態様で実施することができる。
【００４２】
例えば、上記実施の形態では、脚立２ａの脚部２３の接地面側に荷重センサー３を設けるようにしたが、踏み桟２５にも荷重センサー３を設けるようにしてもよい。この場合、各踏み桟２５の左右両端に荷重センサー３を設け、その上に金属プレート３１を取り付けることで、どの位置を踏んだかなどを検出できるようにするとよい。
【００４３】
また、上記実施の形態では、慣性センサーを人間に取り付けるようにしたが、カメラを用いることなく人間の姿勢を検出できるセンサーであれば、どのようなセンサーを用いても良い。
【００４４】
さらに、上記実施の形態では、脚立２ａに登って作業する場合について説明したが、例えば、木の剪定作業などを行うように、梯子を使って作業する場合にも同様の構成を用いることができる。この場合、危険パターンとして、梯子の角度、接地面に水平方向に作用する荷重、人間の重心位置の変位などを検出して危険パターンなどを検出できるようにするとよい。
【符号の説明】
【００４５】
１・・・作業状態確認システム
２・・・高所作業用具
２ａ・・・脚立
２０・・・送信部
２１・・・天板
２２・・・ヒンジ
２３・・・脚部
２４・・・開き止め具
２５・・・踏み桟
３・・・荷重センサー
３１・・・金属プレート
３２・・・ゴム
４・・・固定状態検出センサー
５・・・姿勢検出センサー
６・・・情報端末
６１・・・受信部
６２・・・作業状態検出部
６３・・・記憶部
６４・・・報知部
【図１】
0006906211.tif 000002
【図２】
0006906211.tif 000003
【図３】
0006906211.tif 000004
【図４】
0006906211.tif 000005
【図５】
0006906211.tif 000006
【図６】
0006906211.tif 000007
【図７】
0006906211.tif 000008
【図８】
0006906211.tif 000009
【図９】
0006906211.tif 000010
【図１０】
0006906211.tif 000011
【図１１】
0006906211.tif 000012
【図１２】
0006906211.tif 000013
【図１３】
0006906211.tif 000014
【図１４】
0006906211.tif 000015
【図１５】
0006906211.tif 000016